(57)【要約】【課題】前面４／裏面を持ち、データ処理ユニットを含んでいるケーシング３を備え、前面にデータ入力装置６並びに画像／処理／制御情報を出力するための指示装置５が設けられている、操作員２によって検出された規則違反等を処理するためのモバイルデータ処理ハンドセット１を簡便に操作取り扱いできるようにする。【解決手段】ハンドセットにデジタル画像検出装置９が配属されており、前面に少なくとも１つの別の画像／処理／制御情報の出力のための指示装置７が設けられておりかつデジタル画像検出装置に接続されている。【選択図】図１
2007012068.tif 000002
【特許請求の範囲】
【請求項１】
操作員（２）によって検出された規則違反またはそういった類のものを処理するため、殊に例えば停滞しているおよび／または流れている交通の監視の際に交通規則違反のような秩序違反を捕捉検出するためのモバイルデータ処理ハンドセットであって、前面（４）および裏面を有しておりかつデータ処理ユニットを含んでいるケーシング（３）を備え、該ケーシングの前面（４）にデータ処理ハンドセット（１）のデータ入力および／または操作に対する入力装置（６）並びに画像および／または処理および／または制御情報を出力するための指示装置（５）が設けられている形式のものにおいて、
モバイルデータ処理ハンドセット（１）に殊にデジタルカメラとして実現されているデジタル画像検出装置（９）が配属されておりかつケーシング（３）の前面（４）に少なくとも１つの別の、画像および／または処理および／または制御情報の出力のための指示装置（７）が設けられておりかつ前記デジタル画像検出装置（９）に接続されている
ことを特徴とするモバイルデータ処理ハンドセット。
【請求項２】
前記デジタル画像検出装置（９）は同様にケーシング（３）、殊にケーシング（３）の裏面に収容されている
請求項１記載のモバイルデータ処理ハンドセット。
【請求項３】
ケーシング（３）の前面（４）に少なくとも１つの、前記デジタル画像検出装置（９）の操作のための別の入力装置（８）が設けられている
請求項１または２記載のモバイルデータ処理ハンドセット。
【請求項４】
ケーシング（３）に、前記デジタル画像検出装置（９）のデータの処理のための別のデータ処理ユニットが設けられている
請求項１から３までのいずれか１項記載のモバイルデータ処理ハンドセット。
【請求項５】
前記デジタル画像検出装置（９）はケーシング（３）の裏面（４）の画定された、殊に曲げられた領域に設けられている
請求項１から４までのいずれか１項記載のモバイルデータ処理ハンドセット。
【請求項６】
前記別の指示装置（７）はケーシング（３）の前面（４）の画定された、殊に曲げられた領域に設けられている
請求項１から５までのいずれか１項記載のモバイルデータ処理ハンドセット。
【請求項７】
前記別の入力装置（８）はケーシング（３）の前面（４）の画定された、殊に曲げられた領域に設けられている
請求項１から６までのいずれか１項記載のモバイルデータ処理ハンドセット。
【請求項８】
少なくとも１つの指示装置（５，７）はタッチスクリーンとして実現されておりかつ相応の入力装置（６，８）は同様に該タッチスクリーンによって形成されている
請求項１から７までのいずれか１項記載のモバイルデータ処理ハンドセット。
【請求項９】
ケーシング（３）に情報をプリントアウトするための印刷ユニットが集積されている
請求項１から８までのいずれか１項記載のモバイルデータ処理ハンドセット。
【請求項１０】
ケーシング（３）に情報をデジタルまたはアナログ伝送するための通信ユニットが集積されている
請求項１から９までのいずれか１項記載のモバイルデータ処理ハンドセット。
【請求項１１】
ケーシング（３）に音声をデジタルまたはアナログ伝送するための通信ユニットが集積されている
請求項１から１０までのいずれか１項記載のモバイルデータ処理ハンドセット。
【請求項１２】
ケーシング（３）に音声入力および出力のためのマイクロホンおよびスピーカが集積されている
請求項１から１１までのいずれか１項記載のモバイルデータ処理ハンドセット。
【発明の詳細な説明】
【技術分野】
【０００１】
本発明は、操作員によって発見検出された規則またはそういった類のものの違反を処理するため、殊に例えば停滞しているおよび／または流れている交通の監視の際に交通規則違反のような秩序違反を捕捉検出するためのモバイルデータ処理ハンドセットであって、前面および裏面を有しておりかつデータ処理ユニットを含んでいるケーシングを備え、該ケーシングの前面にデータ処理ハンドセットのデータ入力および／または操作に対する入力装置並びに画像および／または処理および／または制御情報を出力するための指示装置が設けられている形式のものに関する。
【背景技術】
【０００２】
その際規則またはそういった類のものの違反の発見検出は例えば、放置されている車両における駐車権限のチェックの際、または操作員が犬の飼い主が犬の屎尿を規則通り始末していないことを観察するとき、操作員自身によってのみ行うことができる。しかし規則またはそういった類のものに対する違反を発見検出した場合操作員は技術的な補助手段を使用することもできる。すなわち、自動車運転者の速度違反を発見検出すると補助手段として例えばレーザピストル、ライトバリヤまたはそういった類のものを用いることができる。
【０００３】
業務上、部分的には、建造物の外部、例えば「現場で」データを捕捉検出しかつ処理するためにも使用することができる種々様々なデータ処理装置が公知である。しかし少なくとも、この種のモバイルシステムは大きさおよび重さに関して運搬可能であるが、比較的長い時間間隔の間手に保持することは適わないまたは特別な運搬補助がないと操作員は持ち運ぶことができない。
【０００４】
路上に駐停車している車両を監視するために、入力装置並びに指示装置を使用することができる相応に小さくかつ軽く実現されているハンドセットが公知である。
【０００５】
この場合一方において例えば不正駐車している自動車のナンバーのような必要なデータが手で入力されなければならずかつ−必要の場合には−道交法に関する不法行為を一義的に証明するために写真撮影のためのカメラ並びに場合によっては必要なテレコミュニケーションおよび／またはデータ転送のための無線装置がその都度一緒に運ばれなければならないことは不都合である。この点においても「運搬の手間」は著しく高められ、なおかつ操作員が２つまたはそれ以上の装置を操作しかつ駆使しなければならないので複雑な操作も必要である。
【発明の開示】
【発明が解決しようとする課題】
【０００６】
本発明の課題は、上に述べた欠点を回避しかつ簡単な取り扱いおよび複雑でない操作を可能にするモバイルデータ処理ハンドセットを提供することである。
【課題を解決するための手段】
【０００７】
この課題は、冒頭に述べた形式のモバイルデータ処理ハンドセットに、殊にデジタルカメラとして実現されているデジタル画像検出装置が配属されておりかつケーシングの前面に少なくとも１つの別の、画像および／または処理および／または制御情報の出力のための指示装置が設けられておりかつデジタル画像検出装置に接続されていることによって解決される。さらに、データおよび音声伝送のために並びに場合によっては音声記録のために通信ユニットが配属されているようにすることができる。
【０００８】
その際デジタル画像検出装置は線路を介してまたは無線、赤外線、超音波を介して、殊に短距離無線を介して「ワイヤレス」にモバイルデータ処理ハンドセットと接続されているようにすることができる。
【０００９】
その際画像および／または処理および／または制御情報の別個の指示部または組み合わされた指示部を指示装置の少なくとも１つに、殊に選択的に任意に調整設定可能に設けることができる。
【００１０】
その際モバイルデータ処理ハンドセットは比較的僅かなサイズを有しているので、比較的長い操作持続時間においても、殊に数時間に及ぶ時間空間の間も、過度の負担を感じることなく操作員によって手に保持されるまたはベルトに固定されるようにすることができる。
【００１１】
この点において寸法は約１５０＊５０＊３０ｍｍ乃至２５０＊１００＊６０ｍｍ、殊に下面は約１７５＊６０＊３５ｍｍで、上面は２３０＊８０ｍｍ＊であってよい。重量は３００ないし８００ｇｒ．殊に約６００ｇｒ．であってよい。
【００１２】
有利にはケーシングは容積を小さくするために、利用していない場合、または例えばデジタル画像検出装置のような部分領域がその時点で必要でないとき、複数の相互にヒンジ結合されている部分領域から成っていて折り畳み可能であるように実現することができる。その際一方の部分領域はケーシングの主要領域に比べて著しく小さく実現されており、従って折り畳んだ際にほんの僅かな部分しか覆っていないようにすることができる。殊に、折り畳みは裏面側で行われるようにすることができる、またはスライド機構を設けてもよい。デジタル画像検出装置が外付けの場合、画像検出装置を取り付けるためもしくは収容するための受け部もしくは自由空間を設けておくことができる。
【００１３】
電気的なエネルギーに対する殊に再充電可能な蓄電器による通例のエネルギー供給部も設けられている。
【００１４】
この点で搬送も操作も唯一のハンドセットへの制限により著しく簡素化されている。
【００１５】
有利には画像検出装置はケーシング、殊にケーシングの裏面に収容されているようにすることもでき、その場合別個のエレメントは−たとえ非常に僅かなサイズであったとしても−一緒に持って行く必要はなく、少なくとも画像検出の際に操作されればいいだけである。その際画像検出装置は殊に端面または側方のケーシング面に配置されているようにすることができる。殊に、相応の面はこのために突出しているもしくは斜めに配向されている領域を有していることができる。例えば僅かに引っ込んでいる配置または取り外し可能なまたは移動可能なカバーのような通例の形状形態は勿論可能である。
【００１６】
本発明によればケーシングの前面に少なくとも１つの、デジタル画像検出装置の操作のための別の入力装置が設けられていてよく、その場合それぞれの別個の機能ユニットのために固有の操作フィールドが設けられておりかつその限りにおいてマルチ割り当てキーまたはそのようなものは回避されかつモバイルデータ処理ハンドセットの非常に沢山の機能の特別簡単な操作が可能である。
【００１７】
ケーシングに、デジタル画像検出装置のデータの処理のための別のデータ処理ユニットが設けられているようにすることもでき、その場合種々様々な機能ユニットに対するデータ処理ユニットの分離により、最大限可能な仕事の相互作用は生じず、従って例えば詳細なデータ処理は同じ時間に行われる画像検出によって妨害されることもない。
【００１８】
本発明の有利な実施形態においてデジタル画像検出装置はケーシングの裏面の画定された、殊に曲げられた領域に設けられているようにすることができ、その場合モバイルデータ処理ハンドセットの通常の保持位置において画像検出の向きは通例の目的の用途、例えば車両ナンバーの捕捉検出または証明写真撮影に調整されている。有利には例えば操作員の体格に整合するためまたはその都度の使用目的に調整するために、画像検出装置の配向の位置調整能力が備えられているようにすることができる。
【００１９】
また、別の指示装置がケーシングの前面の画定された、殊に曲げられた領域に設けられているようにすることができ、その場合画像検出時のモバイルデータ処理ハンドセットの通例の保持位置においてこの別の指示装置はその配向が通例の画像検出時の操作員の視角、例えば車両ナンバーの捕捉検出に調整されている。有利には、例えば操作員の体格に整合するためまたはその都度の使用目的に調整するために、この別の指示装置の配向の調整能力が備えられているようにすることができる。
【００２０】
このために別の入力装置もケーシングの前面の画定された、殊に曲げられた領域に設けられているようにすることができる。
【００２１】
本発明によれば、少なくとも１つの指示装置はタッチスクリーンとして実現されておりかつ相応の入力装置は同様に該タッチスクリーンによって形成されているようにすることができ、その場合一方においてこれら両方の装置の統合により所要スペースの低減が図られ、他方において相応の、場合によりシンボルによって特徴付けられているメニューをタッチスクリーンに組み入れることによって特別簡単な操作が可能である。
【００２２】
さらに、ケーシングに情報をプリントアウトするための印刷ユニットを集積することができ、その場合例えば記録、領収書または反則切符の形の捕捉検出されたデータ、または画像検出装置によって行われた記録の出力が文書の形においてまたは写真プリントとして可能である。
【００２３】
また、検出システムはデータおよび音声に対するモバイル通信ユニットとして並びに音声記録システムとして利用することができる。このために装置は少なくともそれぞれ通信ユニット、スピーカ並びにマイクロホンを装備している。この場合マイクロホン並びにスピーカは選択的に、前面または裏面側、側面または上もしくは下においてケーシングに収容されているようにすることができる。
【実施例】
【００２４】
次に本発明を図示の実施例に付き図面を用いて詳細に説明する。
【００２５】
唯一の図には、図面では部分的にしか図示されていない操作員２が処理するためのモバイルデータ処理ハンドセットが図示されている。
【００２６】
その際ハンドセット１は前面４および図示されていない裏面を備えたケーシング３を有している。前面４には第１の指示装置５および第１の入力装置６並びに第２の指示装置７および第２の入力装置８も設けられている。これらはそれぞれその位置から機能ユニットにまとめられておりかつ相応に並んで配置されている。
【００２７】
有利な実施例において第１の指示装置５は第１の入力装置６と一緒にモバイルデータ処理ハンドセット１のデータ入力および操作専用に設けられており、これに対して第２の指示装置７は第２の入力装置８とともに、端面に設けられている、図示されていないデジタル画像検出装置９の操作のために設けられている。
【図面の簡単な説明】
【００２８】
【図１】モバイルデータ処理ハンドセットおよびそれを操作する要員を示唆する略図
【符号の説明】
【００２９】
１  ハンドセット、  ２  操作員、  ３  ケーシング、  ４  前面、  ５  指示装置、  ６  第１の入力装置、  ７  第２の指示装置、  ８  第２の入力装置、  ９  画像検出装置
【図１】
2007012068.tif 000003